(57)【特許請求の範囲】
【請求項１】
測定器で測定された測定結果を表示する表示器の支持架台であって、
取付壁面、または前記測定器に固定され、所定の取付面を有する第一架台部材と、前記表示器に固定される第三架台部材と、一端が第一架台部材の前記取付面に、他端が第三架台部材にそれぞれ固定される第二架台部材と、を有し、
前記第二架台部材および前記第三架台部材には、前記取付面に垂直な面内における互いの取付角度を可変させる第一の取付角度可変手段を備えたことを特徴とする表示器の支持架台。
【請求項２】
前記第一架台部材および前記第二架台部材には、前記取付面内における互いの取付角度を可変させる第二の取付角度可変手段を備えたことを特徴とする請求項１記載の表示器の支持架台。
【請求項３】
前記第一の取付角度可変手段は、前記第二架台部材および前記第三架台部材にそれぞれ形成したボルト穴と、前記ボルト穴に挿通させるボルトと、を備えたことを特徴とする請求項１または２記載の表示器の支持架台。
【請求項４】
前記第二架台部材および前記第三架台部材は、前記取付面に平行な所定の回転軸を中心にして互いに回動可能にされ、前記第一の取付角度可変手段を構成する前記ボルト穴は、前記回転軸に沿って前記第二架台部材および前記第三架台部材に形成された軸穴と、前記軸穴の周囲であって前記回転軸を中心とした同一円弧上に間欠的に形成した固定穴とを有することを特徴とする請求項３記載の表示器の支持架台。
【請求項５】
前記第二の取付角度可変手段は、前記第一架台部材に対する前記第二架台部材の取付部を複数備えてなることを特徴とする請求項２、請求項２に従属する請求項３、または請求項２に従属する請求項３に従属する請求項４記載の表示器の支持架台。
【請求項６】
前記第一架台部材、前記第二架台部材、および前記第三架台部材は、板金の折り曲げ加工によって形成されてなることを特徴とする請求項１ないし５いずれか一項記載の表示器の支持架台。
【請求項７】
前記測定器は、ガス分析計であり、前記表示器は、入力手段を更に備えていることを特徴とする請求項１ないし６いずれか一項記載の表示器の支持架台。
【発明の詳細な説明】
【技術分野】
【０００１】
本発明は、測定器で測定された測定結果を表示する表示器の支持架台に関する。
【背景技術】
【０００２】
工業用表示器を備えた工業計器の一例として、ガス分析計が知られている（例えば、特許文献１を参照）。ガス分析計の工業用表示器は、測定器（センサ）による測定結果を表示させたり、タッチパネルによる操作情報の入力を行う機能を有する。こうした工業用表示器を支持する支持架台（取付用ブラケット）は、壁面への取付用途が殆どであり、一度取り付けると表示器の位置や角度を変更することは少ない。
【０００３】
例えば、従来のレーザーガス分析計は、一般的に液品表示部の角度調整や位置調整ができない構造となっている。こうした角度や位置を固定した取付構造は、屋外の過酷な環境において工業計器を安定して動作させる際のメリッ卜となっている。
【０００４】
こうした測定器を操作、確認するユーザにとっては、表示部の画面（表示面）の角度を調整することができれば、直射日光の照射などによる画面の視認性低下を改善させることができる。また、画面の向きを変えることができれば、ユーザの作業位置に合わせた最適な画面表示を実現することができる。このように、測定器の表示部の設置については、屋外の過酷な環境に耐えられる確実な固定が求められると同時に、ユーザの多様な設置環境に合わせた最適な画面位置の調節が求められている。
【先行技術文献】
【特許文献】
【０００５】
【特許文献１】特開２０１０−１６４４８０号公報
【発明の概要】
【発明が解決しようとする課題】
【０００６】
しかしながら、従来の工業用表示器は、機器や壁面への確実な固定を実現するために、これら機器や壁面に対して固着されていた。そのため、光線の照射による画面の視認性の低下や、作業環境に合わせた画面の適切な向きの調整を行えず、画面視認時の作業性が低下するという課題があった。
【０００７】
本発明は、上記事情に鑑みてなされたものであって、簡易な構成で表示器の向きを調節することが可能であり、かつ、表示器を確実に支持可能な表示器の支持架台を提供することを課題とする。
【課題を解決するための手段】
【０００８】
すなわち、本発明の表示器の支持架台は以下の構成を有する。
［１］測定器で測定された測定結果を表示する表示器の支持架台であって、取付壁面、または前記測定器に固定される第一架台部材と、前記表示器に固定される第三架台部材と、一端が第一架台部材に、他端が第三架台部材にそれぞれ固定される第二架台部材と、を有し、前記第二架台部材および前記第三架台部材には、互いの取付角度を可変させる第一の取付角度可変手段を備えたことを特徴とする。
【０００９】
本発明の表示器によれば、表示器の向きを、設置環境や作業環境に合わせて最適な位置にすることができる。これによって、表示部への太陽光など光線の直接入射を制限して視認性を向上させたり、ユーザーの作業位置に応じて画面からの入力操作を容易にすることが可能になり、作業性の向上を図ることができる。また、振動や外部応力による表示器の支持位置の変動を防止し、所望の位置で確実に表示器を支持することができる。
【００１０】
［２］前記第一架台部材および前記第二架台部材には、互いの取付角度を可変させる第二の取付角度可変手段を備えたことを特徴とする。
【００１１】
［３］前記第一の取付角度可変手段は、前記第二架台部材および前記第三架台部材にそれぞれ形成したボルト穴と、前記ボルト穴に挿通させるボルトと、を備えたことを特徴とする。
【００１２】
［４］前記第二架台部材および前記第三架台部材は、互いに所定の回転軸を中心にして回動可能にされ、前記第一の取付角度可変手段を構成する前記ボルト穴は、前記回転軸に沿って前記第二架台部材および前記第三架台部材に形成された軸穴と、前記軸穴の周囲であって前記回転軸を中心とした同一円弧上に間欠的に形成した固定穴とを有することを特徴とする。
【００１３】
［５］前記第二の取付角度可変手段は、前記第一架台部材に対する前記第二架台部材の取付部を複数備えてなることを特徴とする。
【００１４】
［６］前記第一架台部材、前記第二架台部材、および前記第三架台部材は、板金の折り曲げ加工によって形成されてなることを特徴とする。
【００１５】
［７］前記測定器は、ガス分析計であり、前記表示器は、入力手段を更に備えていることを特徴とする。
【発明の効果】
【００１６】
本発明によれば、簡易な構成で表示器の向きを調節することが可能であり、かつ、表示器を確実に支持可能な表示器の支持架台を提供することができる。
【図面の簡単な説明】
【００１７】
【図１】本発明の表示器の支持架台を備えたレーザーガス分析計を示す外観斜視図である。
【図２】本発明の支持架台の構成を示す分解斜視図である。
【図３】支持架台の支持態様（１）を示す模式図である。
【図４】支持架台の支持態様（２）を示す模式図である。
【図５】支持架台の支持態様（３）を示す模式図である。
【図６】支持架台の支持態様（４）を示す模式図である。
【図７】支持架台の支持態様（５）を示す模式図である。
【図８】支持架台の支持態様（６）を示す模式図である。
【図９】各支持態様における支持架台と架台部材の位置関係を示した平面図である。
【発明を実施するための形態】
【００１８】
以下、本発明を適用した一実施形態である表示器の支持架台について図面を参照して説明する。なお、以下に示す実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１９】
図１は、本発明の表示器の支持架台を備えたレーザーガス分析計を示す外観斜視図である。図２は、表示器の支持架台の構成を示す分解斜視図である。
レーザーガス分析計１０は、測定器１１と、表示器１２とを備えている。測定器１１は、測定レーザが内蔵された発光部や、透過レーザ光を検出する受光部を有し、レーザーガス分光分析によって、測定対象のガス成分（定性）やその濃度（定量）を測定する。
【００２０】
表示器１２は、例えば、液晶タッチパネルを有し、測定器１１で測定、分析された分析結果を表示する。また、画面のタッチ操作によって、測定器１１の動作を入力する。
【００２１】
本実施形態の表示器の支持架台（以下、単に支持架台と称する）２０は、第一架台部材３０、第二架台部材４０、および第三架台部材５０を有する。第一架台部材３０は、測定器１１に係合する凹部３３が形成された第一領域３１と、この第一領域３１の一端から屈折して延びる第二領域３２とを有する。第二領域３２の第一面３２ａには、第二架台部材４０が着脱可能に取り付けられる。
【００２２】
第二領域３２には、第二架台部材４０を第一架台部材３０に締結するためのボルト６１およびナット６２からなる締結具６３を係合させるボルト穴３３ａ〜３３ｆが形成されている。また、第一領域３１には、支持架台２０を測定器１１に固定するための締結具６３を係合させるボルト穴３３ｇ〜３３ｉが凹部３３の周縁に形成されている。
【００２３】
第二架台部材４０は、第一架台部材３０に接する基部４１と、この基部４１の両側から略直角に屈曲された側部４２，４３とを有する。基部４１は、表示器１２の取付姿勢に応じて、一面４１ａまたは他面４１ｂのいずれか一方が第一架台部材３０の第二領域３２における一面３２ａに接する。
【００２４】
基部４１には、第二架台部材４０を第一架台部材３０に締結するためのボルト６１およびナット６２からなる締結具６３を係合させるボルト穴４４ａ〜４４ｄが形成されている。また、側部４２，４３には、それぞれ第三架台部材５０を第二架台部材４０に締結するための締結具６３を係合させるボルト穴４４ｅ〜４４ｈが形成されている。
【００２５】
第三架台部材５０は、表示器１２の裏面側に接して表示器１２を係止する基部５１と、この基部５１の両側から略直角に屈曲された側部５２，５３とを有する。第二架台部材４０の側部４２，４３は、この第三架台部材５０の側部５２と側部５３との間に入って係止される。即ち、第三架台部材５０の側部５２の内面５２ａと第二架台部材４０の側部４２の外面４２ｂとが接する。同様に、第三架台部材５０の側部５３の内面５３ａと第二架台部材４０の側部４３の外面４３ｂとが接する。
【００２６】
基部５１には、表示器１２を第三架台部材５０に締結するための締結具６３を係合させるボルト穴５４ａ〜５４ｄが形成されている。また、側部５２，５３には、それぞれ第三架台部材５０を第二架台部材４０に締結するための締結具６３を係合させるボルト穴５４ｅ〜５４ｐが形成されている。
【００２７】
これら側部５２，５３に形成されたボルト穴５４ｅ〜５４ｐのうち、ボルト穴５４ｅおよびボルト穴５４ｋは、第二架台部材４０の側部４２，４３のボルト穴４４ｅおよびボルト穴４４ｇに締結具６３を介してそれぞれ係止され、第二架台部材４０と第三架台部材５０とを、回転軸Ｃを中心にして回動可能にさせる。即ち、ボルト穴５４ｅ，５４ｋ，４４ｅ，４４ｇは、軸穴を構成し、このボルト穴（軸穴）５４ｅ，５４ｋ，４４ｅ，４４ｇに挿通されるボルト６１は、軸棒を構成する。
【００２８】
また、側部５２，５３に形成されたボルト穴５４ｅ〜５４ｐのうち、ボルト穴５４ｆ〜５４ｊおよびボルト穴５４ｌ〜５４ｐは、ボルト穴（軸穴）５４ｅ，５４ｋの周囲であって回転軸Ｃを中心とした同一円弧上に間欠的に形成（配列）され、第二架台部材４０と第三架台部材５０との係止角度を間欠的に可変させて固定する固定穴を構成する。こうしたボルト穴（軸穴）５４ｅ，５４ｋ，４４ｅ，４４ｇ、ボルト穴（固定穴）５４ｆ〜５４ｊ，５４ｌ〜５４ｐ、およびボルト６１、ナット６２によって、第二架台部材４０と第三架台部材５０との間の取付角度を可変可能にする。
【００２９】
例えば、ボルト穴５４ｈ，５４ｎを０°とした時に、このボルト穴５４ｈ，５４ｎに対して、ボルト穴５４ｇ，５４ｍは１０°、ボルト穴５４ｆ，５４ｌは２０°の角度位置に形成される。また、ボルト穴５４ｈ，５４ｎに対して、ボルト穴５４ｉ，５４ｏは−１０°、ボルト穴５４ｊ，５４ｐは−２０°の角度位置に形成される。
【００３０】
こうした構成の支持架台２０は、第二架台部材４０の側部４２，４３に形成されたボルト穴４４ｅ〜４４ｈと、第三架台部材５０の側部５２，５３のボルト穴５４ｅ〜５４ｐと、ボルト６１およびナット６２からなる締結具６３とで、第二架台部材４０および第三架台部材５０の互いの取付角度を可変させる第一の取付角度可変手段を構成している。
【００３１】
また、第一架台部材３０の第二領域３２に形成されたボルト穴３３ａ〜３３ｆと、第二架台部材４０の基部４１に形成されたボルト穴４４ａ〜４４ｄと、ボルト６１およびナット６２からなる締結具６３とで、第一架台部材３０および第二架台部材４０の互いの取付角度（取付位置）を可変させる第二の取付角度可変手段を構成している。
【００３２】
このうち、第一架台部材３０の第二領域３２に形成されたボルト穴３３ａ，３３ｂ，３３ｄ，３３ｅと第二架台部材４０の基部４１に形成されたボルト穴４４ａ〜４４ｄで第一の取付部を、第一架台部材３０の第二領域３２に形成されたボルト穴３３ｃ，３３ｄと第二架台部材４０の基部４１に形成されたボルト穴４４ａ，４４ｂで第二の取付部を、また、第一架台部材３０の第二領域３２に形成されたボルト穴３３ｅ，３３ｆと第二架台部材４０の基部４１に形成されたボルト穴４４ａ，４４ｂで第三の取付部を、それぞれ構成している。
【００３３】
これら支持架台２０は、第一架台部材３０、第二架台部材４０、および第三架台部材５０は、例えば、ステンレス板や鋼板などの金属板をプレス等で屈曲させて、所定位置にネジ穴を形成することで製造される。
【００３４】
以上のような構成の支持架台２０の作用を説明する。
本発明の支持架台２０は、測定器１１に固定され、表示器１２の表示面１２ａの向きを測定器１１に対して調節可能にする。
例えば、図３に示す支持架台２０の支持態様（１）では、第一架台部材３０の第二領域３２の第一面３２ａと、第二架台部材４０の基部４１の一面４１ａとが接する。そして、第一架台部材３０の第二領域３２に形成されたボルト穴３３ａ，３３ｂ，３３ｄ，３３ｅと、第二架台部材４０の基部４１に形成されたボルト穴４４ａ〜４４ｄとが、それぞれ締結具６３で締結される。また、第二架台部材４０の側部４２，４３に形成されたボルト穴４４ｅ〜４４ｈと、第三架台部材５０の側部５２，５３のボルト穴５４ｅ，５４ｋ，５４ｈ，５４ｎとが、それぞれ締結具６３で締結される。これによって、図３に示すように、表示器１２の表示面１２ａが鉛直方向に沿って広がるように正面正対取付けされる。
【００３５】
また、図４に示す支持架台２０の支持態様（２）では、第一架台部材３０の第二領域３２の第一面３２ａと、第二架台部材４０の基部４１の一面４１ａとが接する。そして、第一架台部材３０の第二領域３２に形成されたボルト穴３３ａ，３３ｂ，３３ｄ，３３ｅと、第二架台部材４０の基部４１に形成されたボルト穴４４ａ〜４４ｄとが、それぞれ締結具６３で締結される。また、第二架台部材４０の側部４２，４３に形成されたボルト穴４４ｅ〜４４ｈと、第三架台部材５０の側部５２，５３のボルト穴５４ｅ，５４ｋ，５４ｉ，５４ｏとが、それぞれ締結具６３で締結される。これによって、図４に示すように、表示器１２の表示面１２ａが鉛直方向に対して−１０°の角度で下向きにされた正面下向き取付けされる。なお、ボルト穴５４ｊ，５４ｐを選択すれば、表示器１２の表示面１２ａが鉛直方向に対して−２０°の角度で下向きにされた正面下向き取付けにすることもできる。
【００３６】
また、図５に示す支持架台２０の支持態様（３）では、第一架台部材３０の第二領域３２の第一面３２ａと、第二架台部材４０の基部４１の一面４１ａとが接する。そして、第一架台部材３０の第二領域３２に形成されたボルト穴３３ａ，３３ｂ，３３ｄ，３３ｅと、第二架台部材４０の基部４１に形成されたボルト穴４４ａ〜４４ｄとが、それぞれ締結具６３で締結される。また、第二架台部材４０の側部４２，４３に形成されたボルト穴４４ｅ〜４４ｈと、第三架台部材５０の側部５２，５３のボルト穴５４ｅ，５４ｋ，５４ｇ，５４ｍとが、それぞれ締結具６３で締結される。これによって、図５に示すように、表示器１２の表示面１２ａが鉛直方向に対して１０°の角度で上向きにされた正面上向き取付けされる。なお、ボルト穴５４ｆ，５４ｌを選択すれば、表示器１２の表示面１２ａが鉛直方向に対して２０°の角度で上向きにされた正面上向き取付けにすることもできる。
【００３７】
また、図６に示す支持架台２０の支持態様（４）では、第一架台部材３０の第二領域３２の第一面３２ａと、第二架台部材４０の基部４１の他面４１ｂとが接する。そして、第一架台部材３０の第二領域３２に形成されたボルト穴３３ｃ，３３ｄと、第二架台部材４０の基部４１に形成されたボルト穴４４ａ，４４ｂとが、それぞれ締結具６３で締結される。また、第二架台部材４０の側部４２，４３に形成されたボルト穴４４ｅ〜４４ｈと、第三架台部材５０の側部５２，５３のボルト穴５４ｅ，５４ｋ，５４ｈ，５４ｎとが、それぞれ締結具６３で締結される。これによって、図６に示すように、表示器１２の表示面１２ａが正面に対して向かって左側に向けられた左向き取付けされる。なお、この左向き取付けで、更に表示器１２の表示面１２ａを鉛直方向に対して上向きや下向きにすることもできる。
【００３８】
また、図７に示す支持架台２０の支持態様（５）では、第一架台部材３０の第二領域３２の第一面３２ａと、第二架台部材４０の基部４１の他面４１ｂとが接する。そして、第一架台部材３０の第二領域３２に形成されたボルト穴３３ｅ，３３ｆと、第二架台部材４０の基部４１に形成されたボルト穴４４ａ，４４ｂとが、それぞれ締結具６３で締結される。また、第二架台部材４０の側部４２，４３に形成されたボルト穴４４ｅ〜４４ｈと、第三架台部材５０の側部５２，５３のボルト穴５４ｅ，５４ｋ，５４ｈ，５４ｎとが、それぞれ締結具６３で締結される。これによって、図７に示すように、表示器１２の表示面１２ａが正面に対して向かって右側に向けられた右向き取付けされる。なお、この右向き取付けで、更に表示器１２の表示面１２ａを鉛直方向に対して上向きや下向きにすることもできる。
【００３９】
更に、図８に示す支持架台２０の支持態様（６）では、第一架台部材３０の第二領域３２の第一面３２ａと、第二架台部材４０の基部４１の一面４１ａとが接する。そして、第一架台部材３０の第二領域３２に形成されたボルト穴３３ａ，３３ｂ，３３ｄ，３３ｅと、第二架台部材４０の基部４１に形成されたボルト穴４４ａ〜４４ｄとが、それぞれ締結具６３で締結される。この時、表示器１２の表示面１２ａが、図３に示す正面正対取付けに対して１８０°反転した逆向きに取り付けられる。また、第二架台部材４０の側部４２，４３に形成されたボルト穴４４ｅ〜４４ｈと、第三架台部材５０の側部５２，５３のボルト穴５４ｅ，５４ｋ，５４ｈ，５４ｎとが、それぞれ締結具６３で締結される。これによって、図８に示すように、表示器１２の表示面１２ａが裏面側に向けられた裏面取付けされる。なお、この裏面取付けで、更に表示器１２の表示面１２ａを鉛直方向に対して上向きや下向きにすることもできる。
【００４０】
図９は上述した支持態様（１），（４），（５），（６）における支持架台２０、第一架台部材３０、第二架台部材４０及び第三架台部材５０の位置関係を上から見た時の平面図である。
図９において、（ａ）は支持態様（１）、（ｂ）は支持態様（４）、（ｃ）は支持態様（５）、（ｄ）は支持態様（６）における位置関係をそれぞれ示している。なお、この図９の（ａ）、（ｄ）に示す支持態様では、ボルト穴３３ａと３３ｂを用いないで固定した場合を示している。
【００４１】
なお、図１〜図８に示す実施態様では、ボルト及びナットの組み合わせによって、それぞれのナット穴で各架台部材どうしを固定しているが、例えば、各架台部材のナット穴の内周面に、ボルトと螺合可能なネジ山を形成することによって、特にナットを用いずともそれぞれのナット穴で各架台部材どうしを固定することができる。また、図１〜図８に示す実施態様では、ボルト及びナットとして六角ボルトや六角ナットを用いた例を図示しているが、これ以外にも、例えば、蝶ボルトや蝶ナットなど、摘みを備えたボルトやナットを用いることによって、スパナなどの工具を用いずに表示器の位置や角度を調整することができる。
【００４２】
また、図１〜図８に示す実施態様では、ボルト穴３３a〜３３ｆを用いて第一架台部材３０を第二架台部材４０に固定する例を示したが、２本のボルト及びナットで十分な固定強度を確保できる場合は、ボルト穴３３ａと３３ｂを特に設けなくてもよい。
【００４３】
以上のように、本実施形態の支持架台２０によれば、工業用計測機器、例えばレーザーガス分析計１０の表示器１２の向きを、設置環境や作業環境に合わせて最適な位置にすることができる。これによって、表示部への太陽光など光線の直接入射を制限して視認性を向上させたり、ユーザーの作業位置に応じて画面からの入力操作を容易にすることが可能になり、作業性の向上を図ることができる。
【００４４】
また、こうした支持架台２０は、ボルト穴とボルト６１およびナット６２からなる締結具６３との係合によって位置が固定されるので、振動や外部応力による表示器の支持位置の変動を防止し、所望の位置で確実に表示器を支持することができる。
更に、こうした支持架台２０は、金属板をプレスして屈曲させ、ボルト穴を形成するだけで得られるので、低コストに、かつ容易に製造することができる。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４６】
例えば、本実施形態では、測定器の一例としてレーザーガス分析計を挙げたが、これ以外にも、工業用の各種測定器、測定装置にも適用可能であり、限定されるものでは無い。また、本実施形態では、支持架台は測定器に固定しているが、支持架台を測定器が固定された壁面に固定することもできる。更に、本実施形態では、第二架台部材の同心円上に複数のボルト穴を形成して、表示器の取付角度を間欠的に調節可能な構成としているが、例えば、同心円上に沿って長穴を形成して、表示器の取付角度を連続的に調節可能な構成とすることもできる。
【符号の説明】
【００４７】
１０  レーザーガス分析計
１１  測定器
１２  表示器
２０  支持架台（表示器の支持架台）
３０  第一架台部材
４０  第二架台部材
５０  第三架台部材
【図１】
0006464892.tif 000002
【図２】
0006464892.tif 000003
【図３】
0006464892.tif 000004
【図４】
0006464892.tif 000005
【図５】
0006464892.tif 000006
【図６】
0006464892.tif 000007
【図７】
0006464892.tif 000008
【図８】
0006464892.tif 000009
【図９】
0006464892.tif 000010